(57)【特許請求の範囲】
【請求項１】
電路の電圧が所定の電圧以下のときに前記電路に設置された遮断器を引外す不足電圧引外しコイルを有する遮断器の不足電圧引外し装置において、
前記電路から入力された電圧を所定の電圧に維持する第１の定電圧回路と、
この第１の定電圧回路の出力を蓄積するコンデンサと、
このコンデンサの電圧をさらに所定の電圧に維持する第２の定電圧回路と、
この第２の定電圧回路から電源が供給されると共に前記不足電圧引外しコイルに励磁信号を出力する出力回路と、
前記電路の電圧が不足電圧か否かを判定する電圧判定回路と、
この電圧判定回路の出力信号に基づいて前記不足電圧引外しコイルを所定の時間、励磁を保持させる信号を含む制御信号を前記出力回路に出力する出力回路制御部と、を備えることで、前記コンデンサの電圧が前記第２の定電圧回路を介して前記不足電圧引外しコイルに供給されるように構成したことを特徴とする遮断器の不足電圧引外し装置。
【請求項２】
電圧判定回路が電路の電圧を判定するときの判定基準となる判定基準電圧を生成する基準電圧生成回路を備え、
前記判定基準電圧が、出力回路制御部から出力される信号に基づいて可変されることを特徴とする請求項１記載の遮断器の不足電圧引外し装置。
【請求項３】
基準電圧生成回路は、判定基準電圧を調整する判定基準電圧調整手段を有することを特徴とする請求項２記載の遮断器の不足電圧引外し装置。
【請求項４】
電圧判定回路は、判定基準電圧と比較する電路から入力された電圧を調整する入力電圧調整手段を有することを特徴とする請求項２または請求項３に記載の遮断器の不足電圧引外し装置。
【請求項５】
電圧判定回路の判定動作を確認する動作確認手段を備えたことを特徴とする請求項１から請求項４のいずれか１項に記載の遮断器の不足電圧引外し装置。
【請求項６】
出力回路と不足電圧引外しコイルとの間に直列に接続される直列スイッチおよび不足電圧引外しコイルに並列に接続される並列スイッチの少なくともいずれか一方を設けたことを特徴とする請求項１から請求項５のいずれか１項に記載の遮断器の不足電圧引外し装置。
【請求項７】
不足電圧引外しコイルに流れる電流を制限する電流制限手段を備えたことを特徴とする請求項１から請求項６のいずれか１項に記載の遮断器の不足電圧引外し装置。
【発明の詳細な説明】
【０００１】
【発明の属する技術分野】
この発明は、電路の電圧が所定の電圧以下のときに電路に設置された遮断器を引外す遮断器の不足電圧引外し装置に関するものである。
【０００２】
【従来の技術】
図５は、例えば実開平０１−４５４４０号公報に示された従来の遮断器の不足電圧引外し装置を示す回路図である。
図において、１は遮断器が設置されている電路、２及び３は電源端子、４は電路１を所定の電圧に降圧するトランス、４ａはトランス４の内部抵抗である。
【０００３】
トランス４の二次側はブリッジ型整流回路５に接続され、ブリッジ型整流回路５で整流された直流出力は端子６及び７に出力される。コンデンサ８はブリッジ型整流回路５で整流された電圧を平滑する平滑用コンデンサ、トランジスタ９はそのコレクタが抵抗１０を介して端子６に接続され、エミッタは抵抗１１を介して端子７に接続され、ベースはツェナーダイオード１２、抵抗１３を介して端子６に接続されて端子６と端子７間の電圧に対応して動作するスイッチング素子である。
【０００４】
トランジスタ９、抵抗１０、１１、１３、及びツェナーダイオード１２により電路１の電圧が不足電圧か否かを判定する電圧判定回路１４ａが形成されている。
トランジスタ１５はそのコレクタが抵抗１６を介して端子６に接続され、エミッタは端子７に接続され、ベースは抵抗１７を介してトランジスタ９のエミッタに接続され、抵抗１１に並列にコンデンサ１８が接続されており、トランジスタ１５、抵抗１６及び１７及びコンデンサ１８により電圧判定回路１４ａから出力された電圧を維持する電圧維持回路１４ｂを構成している。
【０００５】
トランジスタ１５のコレクタは第１のスイッチング手段であるトランジスタ１９のベースに接続され、トランジスタ１９はそのエミッタが端子７にコレクタは負荷抵抗２０にそれぞれ接続されており、負荷抵抗２０の抵抗値は不足電圧引外しコイル２１の内部抵抗２１ａより小さく設定されている。
また、トランジスタ１９のコレクタは第２のスイッチング手段であるトランジスタ２２のベースに接続され、エミッタは端子７に、コレクタは不足電圧引外しコイル２１を介して端子６に接続されている。尚、ダイオード２３は不足電圧引外しコイル２１が遮断される際に発生する逆電圧を吸収するためのものである。
【０００６】
次に、以上のように構成された従来の遮断器の不足電圧引外し装置の動作について説明する。
電源端子２及び３間に印加された電圧はトランス４によって変圧され全波整流器５によって直流に変換される。端子６と端子７間の電圧は抵抗１１、１３及びトランジスタ９のベースを介してツェナーダイオード１２に印加される。ツェナーダイオード１２に印加される電圧は実質的に電源端子２及び３間に印加される電圧に比例する。
【０００７】
図６は、電源端子２及び３間の電圧の変化に対する端子６及び不足電圧引外しコイル２１が接続される端子２４間の電圧の変化を示す。
図において、電源端子２及び３間の電圧の変化は実線で示されており、端子６及び２４間の電圧の変化は点線で示されている。
【０００８】
電源端子２及び３間の電圧が徐々に上昇していく過程において、ツェナーダイオード１２に印加される電圧がツェナー電圧以下の状態においては、トランジスタ９，１５及び２２はオフとなっており、トランジスタ１９はオンとなっている。
ツェナーダイオード１２に印加される電圧がツェナー電圧Ｖｚを越えるとトランジスタ９のベース電流が流れ、トランジスタ９はオンとなる。その結果トランジスタ１５及び２２はオンとなり、トランジスタ１９はオフとなる。
【０００９】
その結果、不足電圧引外しコイル２１が励磁される。このときの電源端子２及び３間の電圧を「吸引電圧」と称する。トランジスタ１９の負荷抵抗２０の抵抗値は不足電圧引外しコイル２１の抵抗２１ａより小さくなされているので、吸引電圧においてトランジスタ１９がオフとなりトランジスタ２２がオンとなったとき回路を流れる電流は減少し、トランス４の内部抵抗４ａによる電圧降下は減少して、端子６及び７の電圧は上昇する。
【００１０】
この状態を図６のＡで示す。図のように、端子６及び７間の電圧は吸引電圧において急激に上昇し、不足電圧引外しコイル２１の両端子６及び２４間の電圧も零から端子６及び７間の電圧にほぼ等しい電圧まで上昇する。
次に不足電圧引外しコイル２１が励磁された状態で電源端子２及び３の電圧が徐々に低下する場合の動作について説明する。
【００１１】
電源端子２及び３間の電圧が吸引電圧から徐々に低下する場合、端子６及び７間の電圧は矢印Ｂに示すように徐々に低下し、図５におけるツェナーダイオード１２に印加される電圧がツェナー電圧Ｖｚ以下になるとツェナーダイオード１２を流れる電流は零となりトランジスタ９はオフとなる。その結果トランジスタ１５及び２２はオフとなり不足電圧引外しコイル２１の励磁は解除され、遮断器が引外しされる。
【００１２】
このときトランジスタ１９はオンとなるので、負荷抵抗２０に電流が流れ端子６及び７間の電圧は急激に低下する。このときの電源端子２及び３間の電圧を「落下電圧」と称する。このようにして吸引電圧と落下電圧間にヒステリシス特性をもたせ、動作を安定させている。
【００１３】
【発明が解決しようとする課題】
従来の不足電圧引外し装置は、負荷抵抗２０と不足電圧引外しコイル２１の内部抵抗２１ａの差分により吸引電圧と落下電圧との間にヒステリシス特性を得る方式であり、不足電圧引外しコイル２１の内部抵抗２１ａ、トランス４の内部抵抗４ａの大きさなどによりヒステリシス幅が変化するため、不足電圧引外し装置が安定した引外し動作をしないという問題があった。
【００１４】
また、不足電圧引外しコイル２１の引外しまでの動作時間が、コンデンサ８の容量や不足電圧引外しコイル２１の内部抵抗２１ａによって変化するため、安定した引外しの動作時間が得られないといった問題があった。
【００１５】
この発明は、かかる問題点を解決するためになされたものであり、不足電圧引外しコイル２１の内部抵抗２１ａやトランス４の内部抵抗４ａの大きさに影響されにくい安定したヒステリシス特性を得ると共に、コンデンサ８の容量や不足電圧引外しコイル２１の内部抵抗２１ａに影響されない引外し時延特性を有する遮断器の不足電圧引外し装置を得ることを目的としている。
【００１６】
【課題を解決するための手段】
この発明に係る遮断器の不足電圧引外し装置は、電路の電圧が所定の電圧以下のときに前記電路に設置された遮断器を引外す不足電圧引外しコイルを有する遮断器の不足電圧引外し装置において、前記電路から入力された電圧を所定の電圧に維持する第１の定電圧回路と、この第１の定電圧回路の出力を蓄積するコンデンサと、このコンデンサの電圧をさらに所定の電圧に維持する第２の定電圧回路と、この第２の定電圧回路から電源が供給されると共に前記不足電圧引外しコイルに励磁信号を出力する出力回路と、前記電路の電圧が不足電圧か否かを判定する電圧判定回路と、この電圧判定回路の出力信号に基づいて前記不足電圧引外しコイルを所定の時間、励磁を保持させる信号を含む制御信号を、前記出力回路に出力する出力回路制御部とを備えたものである。
【００１７】
また、上述のように構成することで、コンデンサの電圧が第２の定電圧回路を介して不足電圧引外しコイルに供給されるようにしたものである。
【００１８】
また、電圧判定回路が電路の電圧を判定するときの判定基準となる判定基準電圧を生成する基準電圧生成回路を備え、前記判定基準電圧が、出力回路制御部から出力された信号に基づいて変化されるものである。
【００１９】
また、基準電圧生成回路は、判定基準電圧を調整する判定基準電圧調整手段を有するものである。
【００２０】
また、電圧判定回路は、判定基準電圧と比較する電路から入力された電圧を調整する入力電圧調整手段を有するものである。
【００２１】
また、電圧判定回路の判定動作を確認する動作確認手段を備えたものである。
【００２２】
また、出力回路と不足電圧引外しコイルとの間に直列に接続される直列スイッチおよび不足電圧引外しコイルに並列に接続される並列スイッチの少なくともいずれか一方を設けたものである。
【００２３】
また、不足電圧引外しコイルに流れる電流を制限する電流制限手段を備えたものである。
【００２４】
【発明の実施の形態】
実施の形態１．
図１はこの発明の実施の形態１による遮断器の不足電圧引外し装置を示す回路図、図２は図１の遮断器の不足電圧引外し装置の動作を示すタイムチャートである。
図１において、１は遮断器が設置されている電路、２及び３は電源端子、４は電路１の電圧を所定の電圧に降圧するトランス、４ａはトランス４の内部抵抗、５はトランス４の二次側に接続され交流電圧を直流電圧に整流するブリッジ型整流回路である。
【００２５】
以上のように構成された回路において、まず、電路１の電圧はトランス４により所定の電圧に降圧され、ブリッジ型整流回路５で直流の電圧Ｖ０に整流される。
この整流された電圧Ｖ０は後述の電圧判定回路４１に入力されると共に、ダイオード２５を介して第１の定電圧回路２６に入力される。尚、このダイオード２５は電路１の電圧が低下した時に、第１の定電圧回路２６の残留電圧が不足電圧を検出する電圧判定回路４１に流入し誤動作することを防止する逆流防止素子である。
【００２６】
第１の定電圧回路２６は、トランジスタ２７とこのトランジスタ２７のコレクタとベース間に接続された抵抗２８、及びトランジスタ２７のベースとブリッジ型整流回路５のマイナス側であるＧＮＤ２９に接続された定電圧素子であるツェナーダイオード３０で構成される。ダイオード２５を介して入力された電圧はトランジスタ２７のコレクタに入力されると共に抵抗２８を介してトランジスタ２７のベース電流となりトランジスタをオン状態とするように作用するが、エミッタの電圧Ｖ１が上昇するとベース電流はトランジスタ２７のベースには流れずツェナーダイオード３０を介してＧＮＤ２９に流れるようになる。
【００２７】
したがって、第１の定電圧回路２６の電圧Ｖ１はツェナーダイオード３０のツェナー電圧からトランジスタ２７のベース、エミッタ間の電圧を差し引いた電圧以上には上昇しない。なお、一般的にはトランジスタのベース、エミッタ間の電圧降下は約１Ｖ弱で一定であり、第１の定電圧回路２６の電圧Ｖ１はツェナーダイオード３０のツェナー電圧から約１Ｖ減算した電圧に制限された、定電圧回路として機能する。
【００２８】
コンデンサ３１は第１の定電圧回路２６で定電圧化された電圧Ｖ１を平滑する平滑用コンデンサであるが、同時に不足電圧引外しコイル２１に時間遅れを持たせて動作させる際、励磁状態を維持する為のエネルギーを蓄積しておくバックアップ用コンデンサとして機能する。
【００２９】
３２は電圧Ｖ１をさらに不足電圧引外しコイル２１を励磁するのに最適な所定の電圧Ｖ２に降圧する第２の定電圧回路で、トランジスタ３３と抵抗３４、ツェナーダイオード３５で構成される。
なお、トランジスタ３３と抵抗３４、ツェナーダイオード３５の動作については第１の定電圧回路２６と同様であり省略する。
【００３０】
３６は後述の出力回路制御部６３からの制御信号により不足電圧引外しコイル２１に励磁信号を出力する出力回路で、トランジスタ３８のコレクタはトランジスタ４０のベース及び抵抗３９に接続されており、トランジスタ３８のエミッタはＧＮＤ２９に、ベースは抵抗３７と出力回路制御部６３に接続され、トランジスタ４０のエミッタはＧＮＤ２９に、コレクタは不足電圧引外しコイル２１を介して電源電圧である第２の定電圧回路３２の出力電圧Ｖ２に接続されている。
なお、ダイオード２３は不足電圧引外しコイル２１が釈放動作する際に発生するサージ電圧を吸収するサージ吸収素子である。
【００３１】
４１は電路１の電圧が不足電圧であるか否かを検出する電圧判定回路で、ブリッジ型整流回路５から出力された電圧Ｖ０を抵抗４２及び４３で分圧した電圧Ｖ３を第１のコンパレータ４４の反転入力に入力し、非反転入力に接続される判定基準電圧Ｖｒ１と比較する。
なお、コンデンサ４５は抵抗４３と並列に接続されて抵抗４２と共にノイズを吸収するフィルターとして作用する。
【００３２】
４６は第１の定電圧回路２６から出力された出力電圧Ｖ１を所定の電圧に維持し、第１のコンパレータ４４の電源電圧Ｖｓを供給する第３の定電圧回路で、ダイオード４７は第１の定電圧回路２６の出力電圧Ｖ１が低下した場合に電圧Ｖｓが逆流することにより第１のコンパレータ４４の電源電圧が低下するのを防止するためのものである。
なお、トランジスタ４８、抵抗４９、ツェナーダイオード５０の動作については第１の定電圧回路２６と同様であり説明を省略する。
【００３３】
５１は電圧判定回路４１の第１のコンパレータ４４の非反転入力に入力される判定基準電圧Ｖｒ１を供給する基準電圧生成回路で、この基準電圧生成回路５１は直列に接続された抵抗５２、５３、及び抵抗５３に並列に直列接続された抵抗５４とトランジスタ５５で構成されており、トランジスタ５５のベースは抵抗５６を介して出力回路３６のトランジスタ３８のコレクタに接続され、トランジスタ３８のオンオフに連動してトランジスタ５５がスイッチング動作するように構成されており、出力回路３６のオンまたはオフに応じて抵抗５２〜５４で構成される分圧比が変化して判定基準電圧Ｖｒ１が変化するようになっている。
【００３４】
５７は電圧維持回路で、電圧判定回路４１に入力された電圧Ｖ０は交流を整流しただけのものであるため、リップルを含んだ電圧であり、電圧Ｖ３が判定基準電圧Ｖｒ１を超えたり、超えなかったりすると、それに応じて第１のコンパレータ４４は間欠信号を出力することになるが、この電圧維持回路５７は間欠信号を連続信号に変換する回路である。
【００３５】
この電圧維持回路５７は抵抗５８、５９、６０，コンデンサ６１、及びトランジスタ６２で構成されており、第１のコンパレータ４４からの出力によりコンデンサ６１を充電し、コンデンサ６１の電荷がある間トランジスタ６２をオンするもので、コンデンサ６１と抵抗５８、５９、６０により形成される時定数は充電に対して放電を長く設定してある。
【００３６】
６３は出力回路制御部で、電圧維持回路５７からの出力が停止した後、所定の時間後に出力を切替えるもので、コンデンサ６４と抵抗６５からなる積分回路と第２のコンパレータ６６、この第２のコンパレータ６６の基準電圧Ｖｒ２として電圧Ｖｓを分圧する抵抗６７及び６８で構成される。電路１の電圧が正常で不足電圧となっていないときは電圧維持回路５７のトランジスタ６２はオン状態であり、コンデンサ６４の電荷は電圧Ｖｓまで上昇しているが、電路１の電圧が低下し不足電圧の状態となると電圧維持回路５７のトランジスタ６２はオフし、コンデンサ６４の電圧は抵抗６５を介して放電し電圧は徐々に低下する。この電圧が基準電圧Ｖｒ２を下回ると第２のコンパレータ６６が作動し、出力回路３６に対して不足電圧引外しコイル２１の励磁を停止するように信号を出力する。このときの電圧判定回路４１の出力が停止してから第２のコンパレータ６６が出力するまでの時延時間はコンデンサ６４と抵抗６５の時定数と基準電圧Ｖｒ２で設定できる。
【００３７】
次に、図２のタイムチャートを用いて、この発明の実施の形態１による遮断器の不足電圧引外し装置の動作を説明する。
（ａ）は、ブリッジ形整流回路５の出力電圧Ｖ０の波形であり、電路１の大きさに比例した全波整流波形となっており、ｔ１が電路１の電圧が徐々に増加している状態、ｔ２が定格電圧つまり正常な電圧の状態、そしてｔ３が徐々に電圧が低下している状態を示している。
【００３８】
（ｂ）は第１の定電圧回路２６の出力電圧Ｖ１と第２の定電圧回路３２の出力電圧Ｖ２の電圧を示しており、ブリッジ形整流回路５の出力電圧Ｖ０が電圧Ｖ１及び電圧Ｖ２のそれぞれの電圧より高い時、それぞれの第１の定電圧回路２６の出力、及び第２の定電圧回路３２の出力電圧は所定の一定電圧に保たれる。
【００３９】
なお、第１の定電圧回路２６の出力電圧Ｖ１はコンデンサ３１が挿入されているので、出力電圧Ｖ０が変化しても平滑されて電圧の変化は緩やかなものとなる。また、第１の定電圧回路２６の設定値をコンデンサ３１の耐圧に対して低く設定することにより、コンデンサ３１には低耐圧のものが使用できる。
さらにまた、第２の定電圧回路３２の出力電圧Ｖ２の設定値を不足電圧引外しコイル２１が駆動する最低電圧に設定すれば、第１の定電圧回路２６の出力電圧Ｖ１で直接、不足電圧引外しコイル２１の駆動電圧とする場合と比較すると、ｔ４に相当する時間だけ長く不足電圧引外しコイル２１の駆動を維持できるものである。
【００４０】
（ｃ）は、電圧判定回路４１の動作を示し、電路１の大きさに比例した全波整流波形の電圧は抵抗４２及び４３、コンデンサ４５により所定の比率で分圧されると共にリップルを抑制した電圧Ｖ３となり、第１のコンパレータ４４で判定基準電圧Ｖｒ１と比較されて、不足電圧のレベルか否かを判別する。ここで判定基準電圧Ｖｒ１はＡに示すように、不足電圧引外しコイル２１の励磁に連動して変化するため、検出電圧にヒステリシス特性が持たせられるものである。
【００４１】
（ｄ）は電圧判定回路４１の出力電圧Ｖ４を示したものであり、電圧Ｖ３が判定基準電圧Ｖｒ１に近い状態ではリップル電圧によりチャタリング波形が発生する。
（ｅ）はこのチャタリング波形を無くするのが電圧維持回路５７であり、次のように動作する。
【００４２】
電圧判定回路４１の出力電圧Ｖ４がＬ出力の時、抵抗５８を介してコンデンサ６１が充電される。また電圧判定回路４１の出力電圧Ｖ４がＬ出力からＨ出力に変化すると、コンデンサ６１に充電されていた電荷が抵抗５９を介してトランジスタ６２のエミッタからベースへと放電される。ここで抵抗５８を低い抵抗値とし、抵抗５９を高い抵抗値に設定しておくことによりコンデンサ６１は充電を早く、放電を遅くすることができる。
なお、トランジスタ６２はコンデンサ６１に充電された電圧によってオンオフ動作を行なうが、その動作のしきい値をＢに示す値に設定することによりトランジスタ６２のチャタリング動作が防止される。
【００４３】
電圧維持回路５７の出力、つまりトランジスタ６２の出力は、出力回路制御部６３内の抵抗６５と並列に構成されたコンデンサ６４の充電電流となるが、（ｆ）に示すように、トランジスタ６２がオンの時はコンデンサ６４を瞬時に充電し、トランジスタ６２がオフの時はコンデンサ６４の電荷を抵抗６５でゆっくりと放電するようになっている。このコンデンサ６４の電圧Ｖ６は第２のコンパレータ６６に入力され、抵抗６７及び６８で電圧Ｖｓを分圧して得られる基準電圧Ｖｒ２と比較される。この出力回路制御部６３の出力電圧Ｖ７は、（ｇ）に示されるように電圧維持回路５７の出力が停止した後、コンデンサ６４と抵抗６５で決定される時定数によって設定された所定の時間（ｔ５）、不足電圧引外しコイル２１の駆動を維持する。
【００４４】
出力回路制御部６３の出力電圧Ｖ７は出力回路３６に入力され、（ｈ）に示すように出力電圧Ｖ７の信号が反転する形で出力電圧Ｖ８が出力され不足電圧引外しコイル２１を励磁する。同時にこれと同期して、トランジスタ３８のコレクタの信号は抵抗５６を介して基準電圧生成回路５１に送られ、（ｃ）に示すように判定基準電圧Ｖｒ１を変化させて、電圧判定回路４１がＨ出力からＬ出力になる検出電圧とＬ出力からＨ出力になる検出電圧との間にヒステリシスを持たせている。
【００４５】
以上のように実施の形態１によるこの発明の遮断器の不足電圧引外し装置によれば、電路の電圧が不足電圧か否かを判定する電圧判定回路４１の出力信号に基づいて不足電圧引外しコイル２１を所定の時間駆動維持させる信号を出力する出力回路制御部６３を備え、不足電圧引外しコイル２１を所定の時間駆動維持させるようにしたので、遮断器の不足電圧引外し装置は安定した時延動作を行なう。
また、出力回路制御部６３の出力電圧Ｖ７に同期して判定基準電圧Ｖｒ１を変化させて、電圧判定回路４１がＨ出力からＬ出力になる検出電圧とＬ出力からＨ出力になる検出電圧との間にヒステリシスを持たせたことにより、安定した吸引電圧と落下電圧が得られる。
【００４６】
実施の形態２．
図３はこの発明の実施の形態２による遮断器の不足電圧引外し装置を示す回路図である。
図において、４３ａは電圧判定回路４１の第１のコンパレータ４４に入力される入力電圧Ｖ３を調整する入力電圧調整手段である可変抵抗であり、この可変抵抗４３ａを調整し入力電圧Ｖ３を可変することにより、判定基準電圧Ｖｒ１に対する第１のコンパレータ４４の動作点が変化し出力電圧Ｖ４がＨ出力からＬ出力に変化（図２のｄに示す）する吸引電圧を容易に調整することができる。
なお、上記実施例では可変抵抗４３ａにより調整するようにしたが、抵抗４２を可変抵抗として調整するようにしても良い。
【００４７】
５４ａは基準電圧生成回路５１内のトランジスタ５５のコレクタに接続される判定基準電圧調整手段である可変抵抗で、この可変抵抗５４ａの値を可変することによりトランジスタ５５がオンした時の判定基準電圧Ｖｒ１が変化する。つまり、この可変抵抗５４ａを調整することにより電圧判定回路４１の第１のコンパレータ４４の出力電圧Ｖ４がＬ出力からＨ出力に変化（図２のｄに示す）する落下電圧を容易に調整することができる。
【００４８】
６９は発光ダイオード、７０は発光ダイオード６９の電流を制限する抵抗、７１はコンデンサ６１に充電された電荷が発光ダイオード６９を介して放電されないようにする逆流防止用のダイオードである。発光ダイオード６９は電圧判定回路４１の判定動作を確認する動作確認手段であり、電圧判定回路４１の第１のコンパレータ４４の出力電圧Ｖ４がＬ出力の状態（図２のｄに示す）に発光ダイオード６９に通電され発光することにより、電圧判定回路４１の判定動作を確認することができる。
なお、発光ダイオード６９の代りにブザーを用いても良い。
【００４９】
以上のように実施の形態２によるこの発明の遮断器の不足電圧引外し装置によれば、電圧判定回路４１の第１のコンパレータ４４の動作点を調整する可変抵抗４３ａ、５４ａを備えたので、可変抵抗４３ａにより吸引電圧を、可変抵抗５４ａにより落下電圧を調整することが可能となる。
また、電圧判定回路４１の第１のコンパレータ４４が動作したか否かを確認する動作確認手段を備えたので、発光ダイオード６９の発光を確認しながら、可変抵抗４３ａ、５４ａを調整することにより吸引電圧および落下電圧を正確かつ容易に調整することができる。
【００５０】
実施の形態３．
図４はこの発明の実施の形態３による遮断器の不足電圧引外し装置を示す回路図である。
図において、３２ａは電流制御手段である電圧電流制御回路で、実施の形態１に示す第２の定電圧回路３２の構成に抵抗７２及びツェナーダイオード７３を付加したもので抵抗７２はトランジスタ３３のエミッタと出力回路３６との間に挿入され、ツェナーダイオード７３はトランジスタ３３のベースとトランジスタ３３のエミッタに接続された抵抗７２の他端との間に挿入されている。
【００５１】
このように構成された不足電圧引外しコイル２１に電流が流れると、抵抗７２にはこの電流に比例した電圧が発生する。抵抗７２に流れる電流が所定の電流になると抵抗７２に発生する電圧とトランジスタ３３のベースとエミッタ間の電圧である約１Ｖを加算した電圧がツェナーダイオード７３のツェナー電圧と等しくなり、この電流がさらに増えようとすると抵抗３４からのバイアス電流はツェナーダイオード７３に流れるようになり、トランジスタ３３のベース電流が少なくなり、抵抗７２に流れる電流を抑制するように作用する。
【００５２】
従って、電圧電流制御回路３２ａはトランジスタ３３のエミッタから流れる電流が所定の電流以上流さない定電流機能を有することになる。
なお、上記説明では第２の定電圧回路３２の構成に抵抗７２及びツェナーダイオード７３を付加して、定電圧機能及び定電流機能を有する電圧電流制御回路３２ａを形成させたが、定電圧機能を有しない電流制御回路であっても良い。
【００５３】
以上のように構成された定電流機能を有する遮断器の不足電圧引外し装置は
例えば、意図的に不足電圧引外しコイル２１の両端を短絡した状態においても過電流が流れることがないので、不足電圧引外し装置を構成する電子部品などが破損することがない。
【００５４】
７４は不足電圧引外しコイル２１に直列に接続された直列スイッチであり、直列スイッチ７４を有する遮断器の不足電圧引外し装置は、通常時、つまり電路１が不足電圧でないときに直列スイッチ７４により開路することにより、不足電圧引外しコイル２１に通電される電流が遮断され、任意に遮断器の引外し動作を行なうことができる。
なお、直列スイッチ７４の代りに不足電圧引外しコイル２１に並列に並列スイッチ７５を挿入し、不足電圧引外しコイル２１を短絡するようにしても、上述の直列スイッチ７４と同様の作用を行なわせることができ、この場合、本実施の形態によれば、第２の定電圧回路３２に定電流機能を有しているので、不足電圧引外しコイル２１に並列に接続された並列スイッチ７５で不足電圧引外しコイル２１間を短絡しても、過電流が流れることはない。
また、上記直列スイッチ７４または並列スイッチ７５の接続点に端子を配設しておいて、直列スイッチ７４または並列スイッチ７５を後付けできるようにしても良い。
【００５５】
６５ａ，６５ｂ，６５ｃは抵抗、７６は抵抗６５ａ，６５ｂ，６５ｃに直列に接続されて切換作用を行なう切換スイッチで、切換スイッチ７６を切換ることにより、電圧維持回路５７の出力が停止した後、不足電圧引外しコイル２１の駆動を維持する出力回路制御部６３の維持時間（ｔ５）を設定できる。
なお、抵抗６７または抵抗６８を可変抵抗とし、抵抗を変化させて基準電圧Ｖｒ２を変えても同様に維持時間（ｔ５）を設定できる。
【００５６】
【発明の効果】
この発明は、以上説明したように構成されているので、以下に記載されるような効果を奏する。
【００５７】
電路から入力された電圧を所定の電圧に維持する第１の定電圧回路と、この第１の定電圧回路の出力を蓄積するコンデンサと、このコンデンサの電圧をさらに所定の電圧に維持する第２の定電圧回路と、この第２の定電圧回路から電源が供給されると共に不足電圧引外しコイルに励磁信号を出力する出力回路と、電路の電圧が不足電圧か否かを判定する電圧判定回路と、この電圧判定回路の出力信号に基づいて不足電圧引外しコイルを所定の時間、励磁を保持させる信号を含む制御信号を、出力回路に出力する出力回路制御部とを備えたので、不足電圧引外し装置は、吸引電圧と落下電圧との間に安定したヒステリシス特性を有し、その結果、安定した動作を行う。
【００５８】
また、上述のように構成することで、コンデンサの電圧が第２の定電圧回路を介して不足電圧引外しコイルに供給されるようにしたので、第２の定電圧回路の出力電圧Ｖ２の設定値を不足電圧引外しコイルが駆動する最低電圧に設定することにより、第１の定電圧回路の出力電圧Ｖ１で直接、不足電圧引外しコイルを駆動する場合と比較し、不足電圧引外しコイルを長い時間、駆動維持できるので、不足電圧引外し装置は安定した時延動作を行なう。
【００５９】
また、電圧判定回路が電路の電圧を判定するときの判定基準となる判定基準電圧を生成する基準電圧生成回路を備え、判定基準電圧が、出力回路制御部から出力された信号に基づいて変化されるので、電圧判定回路がＨ出力からＬ出力になる検出電圧（吸引電圧）と、Ｌ出力からＨ出力になる検出電圧（落下電圧）との間にヒステリシスが得られ、不足電圧引外し装置は安定した動作を行なう。
【００６０】
また、基準電圧生成回路は、判定基準電圧を調整する判定基準電圧調整手段を有するので、落下電圧の調整ができる。
【００６１】
また、電圧判定回路は、判定基準電圧と比較する電路から入力された電圧を調整する入力電圧調整手段を有するので、吸引電圧の調整ができる。
【００６２】
また、電圧判定回路の判定動作を確認する動作確認手段を備えたので、動作確認手段を確認しながら、可変抵抗を調整することにより不足電圧引外し装置の動作点を正確かつ容易に調整することができる。
【００６３】
また、出力回路と不足電圧引外しコイルとの間に直列に接続される直列スイッチおよび不足電圧引外しコイルに並列に接続される並列スイッチの少なくともいずれか一方を設けたので、任意に遮断器の引外し動作を行なうことができる。
【００６４】
また、不足電圧引外しコイルに流れる電流を制限する電流制限手段を備えたので、不足電圧引外しコイルの両端が短絡された状態でも過電流が流れることがないので、不足電圧引外し装置を構成する電子部品が破損することがない。
【図面の簡単な説明】
【図１】  この発明の実施の形態１による遮断器の不足電圧引外し装置を示す回路図である。
【図２】  図１の遮断器の不足電圧引外し装置の動作を示すタイムチャートである。
【図３】  この発明の実施の形態２による遮断器の不足電圧引外し装置を示す回路図である。
【図４】  この発明の実施の形態３による遮断器の不足電圧引外し装置を示す回路図である。
【図５】  従来の遮断器の不足電圧引外し装置を示す回路図である。
【図６】  図５の遮断器の不足電圧引外し装置の電路の電圧の変化に対する出力及び不足電圧引外しコイル端子の電圧の変化を示す図である。
【符号の説明】
１  電源、２１  不足電圧引外しコイル、２６  第１の定電圧回路、
３２  第２の定電圧回路、３２ａ  電圧電流制御回路（電流制御手段）、
３６  出力回路、４１  電圧判定回路、４３ａ  可変抵抗（入力電圧調整手段）、
５１  基準電圧生成回路、５４ａ  可変抵抗（判定基準電圧調整手段）、
６３  出力回路制御部、６９  動作確認手段、７４  直列スイッチ、
７５  並列スイッチ。
【図１】
0004061952.tif 000002
【図２】
0004061952.tif 000003
【図３】
0004061952.tif 000004
【図４】
0004061952.tif 000005
【図５】
0004061952.tif 000006
【図６】
0004061952.tif 000007